(57)【特許請求の範囲】
【請求項１】
移動框と固定框との間に表面材を取着し、前記移動框を移動操作することにより前記表面材を伸縮可能とした間仕切り装置において、
基端部を互いに回動可能に連結した一対のアームの先端を前記移動框と固定框にそれぞれ回動可能に支持し、前記一方のアームの基端と他方のアームの先端との間には、前記移動框と固定框とを互いに離間する方向に付勢する付勢装置を備えたことを特徴とする間仕切り装置の自動閉鎖装置。
【請求項２】
前記付勢装置は、前記一方のアームの基端と他方のアームの先端とを引っ張り方向に付勢するコイルスプリングで構成したことを特徴とする請求項１記載の間仕切り装置の自動閉鎖装置。
【請求項３】
前記コイルスプリングは、それぞれワイヤを介して前記一方のアームの基端と他方のアームの先端とに接続し、前記他方のアームの先端部近傍には、前記ワイヤを巻取りあるいは巻き戻して前記コイルスプリングの付勢力を調節可能とした付勢力調節装置を備えたことを特徴とする請求項２記載の間仕切り装置の自動閉鎖装置。
【請求項４】
前記一方のアームには、前記移動框を畳み込み位置に移動させたとき前記他方のアームを保持するロック装置を備えたことを特徴とする請求項１乃至３のいずれか１項に記載の間仕切り装置の自動閉鎖装置。
【請求項５】
前記アームを角材で形成したことを特徴とする請求項４記載の間仕切り装置の自動閉鎖装置。
【請求項６】
前記各アームの基端部には、該アームの回動にともなって互いに摺動する円板部をそれぞれ設け、該円板部間にはグリスを充填したことを特徴とする請求項１乃至５のいずれか１項に記載の間仕切り装置の自動閉鎖装置。
【請求項７】
前記各アームの基端部には、該アームの回動にともなって互いに摺動する円板部をそれぞれ設け、該円板部間にはグリスを充填し、
前記円板部には、前記移動框を畳み込み位置に移動させたとき、前記ワイヤを前記アームに沿ってほぼ平行に張設するための挿通溝を設けたことを特徴とする請求項３記載の間仕切り装置の自動閉鎖装置。
【発明の詳細な説明】
【技術分野】
【０００１】
この発明は、横引プリーツスクリーンやアコーディオンドア等の間仕切り装置の自動閉鎖装置に関するものである。
【背景技術】
【０００２】
横引プリーツスクリーンやアコーディオンドア等の間仕切り装置では、蛇腹状に伸縮可能とした表面材を一対の框間に配設し、一方の框を移動させて表面材を伸縮することにより室内空間を適宜に区画可能としている。
【０００３】
このような間仕切り装置では、框を移動操作するための操作力を軽減する自動閉鎖装置を備えたものが種々提案されている。
特許文献１には、巻取ローラで巻き取られる操作紐で操作框をネットの開放方向に付勢することにより、ネットを自動的に折畳可能とした網戸が開示されている。
【０００４】
特許文献２，３には、コイルスプリングの付勢力をアコーディオンドアあるいは横引きスクリーンの開閉操作の補助力として利用する構成が開示されている。
特許文献４には、定荷重バネの付勢力を折畳ドアの伸縮枠に開閉操作の補助力として作用させる構成が開示されている。
【０００５】
特許文献５には、アコーディオンドアのヒンジの伸縮に連動して作動して、開閉速度を減速させるブレーキが開示されている。
特許文献６には、パンタグラフ装置により開閉される横引きスクリーンに、開閉速度を抑制するダンパー装置を備えた構成が開示されている。
【０００６】
特許文献７には、パンタグラフ装置により開閉される横引きスクリーンに、スクリーンを全開位置に保持する戻り止め装置を備えた構成が開示されている。
【特許文献１】実用新案登録公報第２５２１７７７号
【特許文献２】実開昭５６−６７１８１号
【特許文献３】特開２００３−２２１９８５号公報
【特許文献４】特公昭５９−２１４３８号公報
【特許文献５】特開２００４−２５７１７６号公報
【特許文献６】特開２００４−８４１８８号公報
【特許文献７】特開２００４−１０７８８６号公報
【発明の開示】
【発明が解決しようとする課題】
【０００７】
特許文献１に記載された網戸では、巻取りローラを収容するスペースを網戸枠に確保する必要があるため、網戸枠が大型化する。また、網戸を閉じる方向に操作框を付勢することはできない。また、組み立て後には付勢力を調整することはできない。
【０００８】
特許文献２に記載された構成では、枠体を開方向及び閉方向のいずれにも付勢することはできるが、組み立て後にコイルスプリングの付勢力を調整することはできない。また、コイルスプリングの付勢力が強いと、開閉操作時の操作力が増大するという問題点がある。
【０００９】
特許文献３に記載された構成では、パンタグラフ装置を構成するために部品点数が増大し、コストが上昇する。また、組み立て後にコイルスプリングの付勢力を調整することはできない。
【００１０】
特許文献４に記載された構成でも、パンタグラフ装置を構成するために部品点数が増大し、コストが上昇する。また、組み立て後に定荷重バネの付勢力を調整することはできない。
【００１１】
特許文献５に記載された構成では、多数の引張バネを必要とするため、部品点数が増大する。また、ブレーキを構成するために一対のアーム及びロータリーブレーキを必要とするため、部品点数が増大する。
【００１２】
特許文献６に記載された構成では、パンタグラフ装置及びダンパー装置を構成するために部品点数が増大し、コストが上昇する。また、組み立て後にコイルスプリングの付勢力を調整することはできない。
【００１３】
特許文献７に記載された構成では、パンタグラフ装置に加えてスクリーンを全開位置に保持する戻り止め装置を框との間に設けているので、部品点数が増大する。
この発明の目的は、間仕切り装置の框の閉方向の操作力を軽減する自動閉鎖装置を簡便な構成で提供することにある。
【課題を解決するための手段】
【００１４】
請求項１では、移動框と固定框との間に表面材を取着し、前記移動框を移動操作することにより前記表面材を伸縮可能とした間仕切り装置において、基端部を互いに回動可能に連結した一対のアームの先端を前記移動框と固定框にそれぞれ回動可能に支持し、前記一方のアームの基端と他方のアームの先端との間には、前記移動框と固定框とを互いに離間する方向に付勢する付勢装置を備えた。
【００１５】
請求項２では、前記付勢装置は、前記一方のアームの基端と他方のアームの先端とを引っ張り方向に付勢するコイルスプリングで構成した。
請求項３では、前記コイルスプリングは、それぞれワイヤを介して前記一方のアームの基端と他方のアームの先端とに接続し、前記他方のアームの先端部近傍には、前記ワイヤを巻取りあるいは巻き戻して前記コイルスプリングの付勢力を調節可能とした付勢力調節装置を備えた。
【００１６】
請求項４では、前記一方のアームには、前記移動框を畳み込み位置に移動させたとき前記他方のアームを保持するロック装置を備えた。
請求項５では、前記アームを角材で形成した。
【００１７】
請求項６では、前記各アームの基端部には、該アームの回動にともなって互いに摺動する円板部をそれぞれ設け、該円板部間にはグリスを充填した。
請求項７では、前記各アームの基端部には、該アームの回動にともなって互いに摺動する円板部をそれぞれ設け、該円板部間にはグリスを充填し、前記円板部には、前記移動框を畳み込み位置に移動させたとき、前記ワイヤを前記アームに沿ってほぼ平行に張設するための挿通溝を設けた。
【発明の効果】
【００１８】
本発明によれば、間仕切り装置の框の閉方向の操作力を軽減する自動閉鎖装置を簡便な構成で提供することができる。
【発明を実施するための最良の形態】
【００１９】
以下、この発明を具体化した一実施の形態を図面に従って説明する。図１は、横引プリーツスクリーンやアコーディオンドア等の間仕切り装置に内蔵される自動閉鎖装置を示す。
【００２０】
移動框１と固定框２との間には蛇腹状に伸縮可能とした２枚の表面材（図示しない）が配設され、その表面材間に自動閉鎖装置３が設けられる。移動框１及び表面材はハンガーレール（図示しない）に沿って移動可能に吊下支持され、固定框２は壁面等に固定される。
【００２１】
前記自動閉鎖装置３の具体的構成を説明すると、アーム４ａ，４ｂの基端部は、支軸５を回動支点として回動可能に連結される。前記アーム４ａの先端は前記移動框１に固定されたベース部材６に回転可能に支持され、前記アーム４ｂの先端は前記固定框２に固定されたベース部材７に回転可能に支持されている。前記アーム４ａ，４ｂは、断面四角形状の角材で構成される。そして、移動框１の移動にともなってアーム４ａ，４ｂの基端部が互いに回動する。
【００２２】
図２に示すように、前記アーム４ａ，４ｂの基端部には円板部８ａ，８ｂが一体に形成され、アーム４ａ，４ｂの回動にともなって円板部８ａ，８ｂが摺動するようになっている。また、円板部８ａ，８ｂ間にはグリスが充填され、円板部８ａ，８ｂ間に所要の摺動抵抗を発生させるようになっている。
【００２３】
図１に示すように、前記円板部８ｂにはその外周部を径方向に延長して形成したワイヤ支持部９が形成され、そのワイヤ支持部９の先端にワイヤ１０ａの一端が取着されている。ワイヤ支持部９のワイヤ取着位置は、アーム４ｂの延長線上に位置している。
【００２４】
前記ワイヤ１０ａの他端にはコイルスプリング（付勢装置）１１の一端が接続され、同コイルスプリング１１の他端にはワイヤ１０ｂの一端が接続されている。前記ワイヤ１０ｂの他端部は、前記ベース部材６に回転可能に支持されたガイドプーリー１２を介して下方へ案内されて、前記移動框１に回転可能に支持されたドラム１３に巻着されている。
【００２５】
前記ドラム１３にはウォームホイール１４が一体に形成され、そのウォームホイール１４には移動框１に回転可能に支持されたウォーム１５が噛合されている。ウォーム１５の先端は移動框１の側面に露出されて、外部から回動操作可能となっている。
【００２６】
そして、ウォーム１５の回転操作に基づいてドラム１３が回転され、そのドラム１３の回転によりワイヤ１０ｂが巻き取られ、あるいは巻戻される。また、ワイヤ１０ｂがドラム１３に巻き取られると、コイルスプリング１１が引き伸ばされてその付勢力が増大し、ワイヤ１０ｂがドラム１３から巻戻されると、コイルスプリング１１が縮んでその付勢力が減少する。従って、ウォーム１５、ウォームホイール１４及びドラム１３により、付勢力調節装置が構成される。
【００２７】
図１に示すように、前記アーム４ａ，４ｂの挟み角αがほぼ９０度となるとき、移動框１が対向する壁面等に当接する最大引き出し位置に達するように設定されている。この状態から移動框１を畳み込み方向すなわち固定框２に近づく方向に移動させると、アーム４ａ，４ｂはその挟み角が小さくなるように回動され、その回動に基づいてワイヤ支持部９の先端は下方へ回動される。すると、コイルスプリング１１が引き伸ばされて、その付勢力が増大する。
【００２８】
図４に示すように、前記円板部８ｂにはワイヤ１０ａを挿通可能とした挿通溝１６が形成されている。そして、移動框１が固定框２近傍まで移動されたとき、ワイヤ１０ａは挿通溝１６内に挿通されて、ワイヤ１０ａ，１０ｂがアーム４ａとほぼ平行に張設されるようになっている。
【００２９】
前記アーム４ｂの基端部近傍には、可撓性を備えた合成樹脂等の材質で形成されたロック装置１７が取着されている。このロック装置１７は、図３に示すように、二股状の挟持片１８がアーム４ａに向かって突出され、その挟持片１８の先端部内側には斜面１９が形成されている。その斜面１９は開口端に向かって開口幅が広くなるように形成され、斜面１９の基端部には返し２０が設けられている。
【００３０】
そして、図４に示すように移動框１を固定框２の近傍まで移動させて表面材を畳み込むとき、アーム４ａの基端部がロック装置１７の斜面１９間に侵入し、挟持片１８を押し広げながら図３に示すように返し２０の内側まで達する。この状態では、アーム４ａがロック装置１７に保持されて、アーム４ａ，４ｂが図４に示す畳み込み位置に保持される。
【００３１】
また、この状態から所定値以上の操作力すなわちアーム４ａが挟持片１８を押し広げてロック装置１７から離脱し得る操作力で移動框１を引き出すと、アーム４ａがロック装置１７から外れる。
【００３２】
次に、上記のように構成された自動閉鎖装置の動作を説明する。図４に示すように、移動框１を固定框２近傍まで移動させて表面材を畳み込んだ状態では、アーム４ａがロック装置１７に保持される。従って、表面材の反発力により移動框１に引き出し方向の力が作用しても、移動框１は畳み込み位置に保持される。
【００３３】
また、ワイヤ支持部９は円板部８ａ，８ｂの下方まで回動されて、コイルスプリング１１は最も引き伸ばされた状態となるが、ワイヤ１０ａ，１０ｂはアーム４ａとほぼ平行に張設されるので、移動框１には引き出し方向すなわち矢印Ａ方向の力はほとんど作用しない。
【００３４】
移動框１をロック装置１７から外して、引き出し方向に移動させると、ワイヤ支持部９はアーム４ａ側に回動し、ワイヤ１０ａ，１０ｂとアーム４ａとが平行ではなくなるため、コイルスプリング１１の付勢力により移動框１には矢印Ａ方向の力が作用し、その力はアーム４ａ，４ｂの挟み角が大きくなるにつれて増大する。そして、移動框１が最大引き出し位置の近傍まで移動されると、コイルスプリング１１の付勢力により図１に示す最大引き出し位置まで自動的に移動する。
【００３５】
また、移動框１が最大引き出し位置まで移動した後は、コイルスプリング１１の付勢力により、移動框１が最大引き出し位置に保持される。
一方、移動框１を畳み込み方向に移動させるときには、コイルスプリング１１の付勢力に抗して移動框１を畳み込み方向に移動させる。そして、アーム４ａをロック装置１７に保持させれば、移動框１が畳み込み位置に保持される。
【００３６】
上記のように構成された自動閉鎖装置では、次に示す作用効果を得ることができる。
（１）移動框１に作用するコイルスプリング（付勢装置）１１の付勢力により、移動框１を引き出し方向に自動的に移動させることができる。従って、移動框１及び表面材の引き出し操作を軽微な操作力で行うことができるとともに、付勢装置を簡便な構成で実現することができる。
（２）移動框１を畳み込み位置まで畳み込んだとき、アーム４ｂに取着されたロック装置１７でアーム４ａを保持することができる。従って、表面材の反発力等に関わらず、移動框１を畳み込み位置に保持することができる。
（３）アーム４ａ，４ｂを角材で形成したことにより、ロック装置１７をアーム４ｂに回動不能に容易に取着することができるとともに、ロック装置１７でアーム４ａを容易に保持することができる。
（４）ワイヤ支持部９を備えた円板部８ｂに設けた挿通溝１６により、移動框１を最大畳み込み位置まで移動させたとき、ワイヤ１０ａ，１０ｂとアーム４ａとをほぼ平行に位置させることができる。従って、移動框１を最大畳み込み位置まで移動させたとき、移動框１に引き出し方向の力はほとんど作用しない。従って、ロック装置１７の保持力を大きくすることなく、移動框１を最大畳み込み位置に容易に保持することができる。
（５）ウォーム１５とウォームホイール１４及びドラム１３により、コイルスプリング１１の付勢力を調整して、移動框１に作用する引き出し方向の力を調整することができる。従って、アコーディオンドア等の組み立て後に、外部から移動框１に作用する引き出し方向の力を調整することにより、移動框１の移動速度を調節することができる。
（６）円板部８ａ，８ｂ間に充填したグリスにより、移動框１の移動速度を抑制するダンパー機能を得ることができる。
【００３７】
上記実施の形態は、以下の態様で実施してもよい。
・アーム４ｂに設けたワイヤ支持部９を支点としてコイルスプリング１１の付勢力を移動框１に作用させたが、アーム４ａにワイヤ支持部を設け、そのワイヤ支持部を支点としてコイルスプリングの付勢力を固定框２に作用させるようにしてもよい。
【図面の簡単な説明】
【００３８】
【図１】一実施の形態の自動閉鎖装置を示す正面図である。
【図２】円板部を示す側面図である。
【図３】ロック装置を示す側面図である。
【図４】畳み込み位置に畳み込んだ自動閉鎖装置を示す正面図である。
【符号の説明】
【００３９】
１…移動框、２…固定框、４ａ，４ｂ…アーム、８ａ，８ｂ…円板部、１０ａ，１０ｂ…ワイヤ、１１…付勢装置（コイルスプリング）、１３…付勢力調節装置（ドラム）、１４…付勢力調節装置（ウォームホイール）、１５…付勢力調節装置（ウォーム）、１６…挿通溝、１７…ロック装置。
【図１】
0004810177.tif 000002
【図２】
0004810177.tif 000003
【図３】
0004810177.tif 000004
【図４】
0004810177.tif 000005